(57)【特許請求の範囲】
【請求項１】
複数の小窓を有する表示面と、表面に複数の配色が所定長に区分けして施され、前記複数の小窓から該配色が露出される前記小窓の幅に対応する所定幅の複数のテープとからなり、前記テープには「シアン、マゼンタ、黄」の群からなる基本色が所定長に区分けされ、前記基本色と基本色との間には「黒」および／または「白」の無彩色が施され、前記複数の小窓のうち、隣接する前記小窓から露出される前記テープの配色を上下に区分けされた二色の配色の所望の割合として表示して、前記複数の小窓から露出される配色が、前記表示面全体として、所定のカラー表示を形成することを特徴とするテープ露出式表示装置。
【請求項２】
前記複数の小窓から露出されるテープは、ループ状に形成され、該ループ状テープが周回して、任意の配色が前記小窓から露出するようにしたことを特徴とする前記請求項１に記載のテープ露出式表示装置。
【請求項３】
前記ループ状テープの周回は、前記ループ状テープに接するステッピング送り手段を配置し、前記配色位置が、小窓位置に配置されるようにしたことを特徴とする前記請求項２に記載のテープ露出式表示装置。
【請求項４】
前記ステッピング送り手段付近に配置され、前記テープ表面を加圧し、前記テープの撓みを矯正して回転を確保するテンション機構を有することを特徴とする前記請求項２または前記請求項３に記載のテープ露出式表示装置。
【発明の詳細な説明】
【０００１】
【発明の属する技術分野】
本発明は、車両に注意を促す道路に配置された看板や、自らの発光を要しない広告用等の看板を、表示面に設けられた複数の小窓から表面に配色されたテープ表面が露出されるようにして、表示面全体として、所定のカラー表示を形成するようにしたテープ露出式表示装置に関する。
【０００２】
【従来の技術】
従来より、例えば新製品の広告やマンション等の入居案内・募集の広告等の看板が、ビルの壁面や屋上に設置され、それらに記載された情報を、多数の人に提示している。
また、道路区間の一部あるいは全面通行止めにして、道路の地下での、電話線の増設等に伴う電話線工事や、住宅やビルの新築や古くなった配管交換等に伴う水道管、ガス管等の配管工事が行われている。
このような工事に伴って道路を閉鎖する場合には、車両等に徐行運転や通行禁止であることを促すために、工事中であることを記載した看板を立てて行われている。
【０００３】
【発明が解決しようとする課題】
しかしながら、上記したような従来の看板は、例えば、新製品の広告であれば、次の新製品が発表されるまでの所定期間表示されると、新たな商品の広告に書き換える必要があり、その書き換え期間中は、広告が表示できないと言った問題があった。
また、このような広告用の看板の書き換え期間中を無くすために、新たな看板と交換する場合には、例えばビルの壁面や屋上等に設置されているときは、道路を一時通行止めにしてクレーン車等の器機を用いる必要があり、大掛かりな工事を必要とする等の問題があった。
また、例えばマンション等の入居案内・募集の看板等は、そのマンションの全入居者が決まった時点で不要となり、他の看板に書き換えて何度も使用すると、上書きができなくなり、廃棄処分としなければならないと言った問題があった。
【０００４】
さらに、道路工事時に使用される看板は、通行車両や通行人に、注意を促すために、「○○メートル先工事中」、「△△メートル先片側交互通行」、「××工事中につき全面通行止め」等といった内容が記載されており、これらの内容は、いつも同じとは限らないため、複数の看板を用意し、必要に応じて交換しなければならなかった。
また、このような、道路工事の看板は、工事近辺では、通行車両や通行人に特に注意を促す必要があるため、ＬＥＤを用いた電光掲示板等が使用されているが、前記「○○」、「△△」が１〜１０キロメートルのように遠方の場合は、特に電光掲示板による注意を促す必要もなく、そのために配置しなければならない電源設備等は非常に無駄であった。
【０００５】
本発明は、上記従来の事情に鑑みてなされたもので、複数色で彩色されて区分けされたループ状テープを、所定大の表示面に配列して、所望とする内容の看板を作成することができるため、看板の設置場所で容易に表示内容を変更することができ、看板表示時に消費電力量が不要で、何度でも繰り返して使用できるテープ露出式表示装置を提供することを目的とする。
【０００６】
【課題を解決するための手段】
本願請求項１に係る発明は、テープ露出式表示装置に係り、複数の小窓を有する表示面と、表面に複数の配色が所定長に区分けして施され、前記複数の小窓から該配色が露出される前記小窓の幅に対応する所定幅の複数のテープとからなり、前記テープには「シアン、マゼンタ、黄」の群からなる基本色が所定長に区分けされ、前記基本色と基本色との間には「黒」および／または「白」の無彩色が施され、前記複数の小窓のうち、隣接する前記小窓から露出される前記テープの配色を上下に区分けされた二色の配色の所望の割合として表示して、前記複数の小窓から露出される配色が、前記表示面全体として、所定のカラー表示を形成することを特徴とする。また、本願請求項２に係る発明は、前記請求項１に記載のテープ露出式表示装置に係り、前記複数の小窓から露出されるテープは、ループ状に形成され、該ループ状テープが周回して、任意の配色が前記小窓から露出するようにしたことを特徴とする。さらに、本願請求項３に係る発明は、前記請求項２に記載のテープ露出式表示装置に係り、前記ループ状テープの周回は、前記ループ状テープに接するステッピング送り手段を配置し、前記配色位置が、小窓位置に配置されるようにしたことを特徴とする。そして、本願請求項４に係る発明は、前記請求項２または前記請求項３に記載のテープ露出式表示装置に係り、前記ステッピング送り手段付近に配置され、前記テープ表面を加圧し、前記テープの撓みを矯正して回転を確保するテンション機構を有することを特徴とする。
【０００７】
【発明の実施の形態】
以下、本発明に係るテープ露出式表示装置を図面を参照して詳細に説明する。
図１は、第一の実施の形態としてのテープ露出式表示装置１の概要構成図である。
図１中、１は、テープ露出式表示装置（以下、単に「表示装置」ともいう）、２は、同表示装置１の表示面、３１、３２、・・・３３１、３３２は、前記表示面２に設けられた複数の小窓、４１、４２、・・・４３１、４３２は、前記小窓３１、３２、・・・３３１、３３２に一部分が露出されるテープである。
【０００８】
前記表示面２は、所定の文字や図柄・記号を表示しようとする面であり、複数の前記小窓３１、３２、・・・３３１、３３２が、垂直方向と水平方向にそれぞれ碁盤の目状に配置され、その各小窓３１、３２、・・・３３１、３３２には、前記テープ４１、４２、・・・４３１、４３２が、それぞれ一部分を露出するように構成される。このように、前記テープ４１、４２、・・・４３１、４３２が、それぞれ、その一部分を露出すること、前記表示面２全体として所定の表示がなされる。
前記小窓３１、３２、・・・３３１、３３２は、本実施の形態では、例えば黒のプラスチック等からなる枠３ａの前記表示面２に設けられた上下方向に縦長長方形の穴状のものである。
【０００９】
また、前記テープ４１、４２、・・・４３１、４３２は、上述するように、前記小窓３１、３２、・・・３３１、３３２にそれぞれ対応して、その表面が、それらの小窓３１、３２、・・・３３１、３３２から、その表面の一部が露出されるように配置され、本実施の形態では、例えば幅５ｍｍの光反射式テープ（例えば、スコッチライトテープまたは鏡面テープ）の表面を、例えば長さ方向に１０ｍｍ単位で配色したものである。
該テープ４１、４２、・・・４３１、４３２の幅は、前記小窓３１、３２、・・・３３１、３３２の幅Ｄと略一致しており、前記小窓３１からテープ４１が上下方向に移動可能に露出させ、同様に前記小窓３２からテープ４２を露出させ、順に小窓３３１からテープ４３１が、小窓３３２からテープ４３２がそれぞれ露出されている。
すなわち、例えば、該テープ４１、４２、・・・４３１、４３２を所定の配分で「白」と「黒」に配色し、前記小窓３１、３２、・・・３３１、３３２から露出される部分を「白」のみ、「黒」のみ、上半分に「白」で下半分に「黒」、また逆に上半分に「黒」で下半分に「白」等に露出させることで、表示面全体として所望とする文字・記号等が前記表示面２に表示される。
【００１０】
この表示状態について、特に、上記構成のテープ露出式表示装置１の表示面２に文字を表示する場合について説明すると以下のとおりである。
図２は、上記構成のテープ露出式表示装置１に、例えば漢字の「中」を表示する様子の説明図である。
例えば、白地に黒文字を表示する場合には、前記テープ４１、４２、・・・４３１、４３２は、１０ｍｍごとに、「黒」、「白」、「黒」の少なくとも３つに区分けされていればよい。
例として、ここで、本実施の形態では、１文字を表示するために、前記テープ４１、４２、・・・４３１、４３２を露出させた小窓３１、３２、・・・３３１、３３２を、垂直方向に４個、水平方向に８個の行列として碁盤状に配置する。
そして、小窓３１、３２、・・・３３１、３３２から、それぞれ所定の色部分のテープ４１、４２、・・・４３１、４３２を露出させる。
すなわち、テープ４１、４２、４３、４４、４６、４７、４８、４９、４１７、４２５，４２６、４２７、４２８、４３０、４３１、４３２は、「白」のみの部分を露出させ、テープ４５、４１０、４１３、４１６、４１８、４２１、４２４、４２９は、「黒」のみの部分を露出させる。
【００１１】
また、テープ４１１、４１２、４１４、４１５は、それぞれ上半分が「白」、下半分が「黒」となる「白」と「黒」の境を露出させ、前記テープ４１９、４２０、４２２、４２３は、上半分が「白」、下半分が「黒」となる「白」と「黒」の境を露出させるようにする。そうすると、垂直方向に４個、水平方向に１６個の行列として碁盤状に配置されたテープ露出式表示装置１の表示面２に、漢字の「中」が表示される。同様にして、本発明のテープ露出式表示装置１に所定の文字を表示する。
【００１２】
つぎに、前記テープ４１、４２、・・・４３１、４３２の配色位置を、前記小窓３１、３２、・・・３３１、３３２の位置に配置させるために、前記テープ４１、４２、・・・４３１、４３２をループ状にしてステッピング送り手段を配置したテープ露出式表示装置１について説明する。
【００１３】
図３は、前記図１における同表示装置１のＡ−Ａ’部分の側断面図であり、図３中、５１、５２、・・、５２５、・・・は、前記テープ４１、４２、・・・４３１、４３２を段階的に周回するためのステッピング送り手段、６１、６２、・・・６２５、・・・は、前記テープ４１、４２、・・・４３１、４３２を所定位置で確実に回転するためのテンション機構である。
なお、図１では、小窓３１、３２、・・・３３１、３３２について説明したが、その内側についての説明を補足する。
上述した小窓３１、３２、・・・３３１、３３２の内側には、前記テープ４１、４２、・・・４３１、４３２を支持し、そのテープ４１、４２、・・・４３１、４３２の表面を所定の面積で露出するために、テープ上方支持部３ｂと、テープ下方支持部３ｃが設けられている。
【００１４】
ステッピング送り手段５１、５２、・・・５２５、・・は、本実施の形態では、ローラを兼ねたキャプスタンモータ等であり、前記テープ４１、４２、・・・４３１、４３２のループ状の内側にそれぞれ配置され、前記テープ４１、４２、・・・４３１、４３２の表面に配色された中から、所望とする色が前記小窓３１、３２、・・・３３１、３３２に露出されるように前記テープ４１、４２、・・・４３１、４３２を段階的に周回するものである。
すなわち、ステッピング送り手段５１、５２、・・・５２５、・・が、微少送りすることで、区分けして配色された前記テープ４１、４２、・・・４３１、４３２が１区分け分周回して、小窓３１、３２、・・・３３１、３３２から露出する色が変わるように構成されている。
【００１５】
テンション機構６１、６２、・・・６２５、・・は、前記ステッピング送り手段５１、５２、・・・５２５、・・にそれぞれ設けられ、前記ステッピング送り手段５１、５２、・・・５２５、・・に取り付けられたバネ材６ａに、前記テープ４１、４２、・・・４３１、４３２の表面を上部から加圧して周回を確保するテープ上方支持部６ｂと、下部から加圧するテープ下方支持部６ｃとで構成されている例であり、形状は問わない。
【００１６】
このようなステッピング送り手段５１、５２、・・・５２５とテンション機構６１、６２、・・・６２５を前記テープ露出式表示装置１に配置することで、前記テープ４１、４２、・・・４３１、４３２は、前記テープ４１、４２・・・４３１、４３２に配色された色の一部分が正面側に表示されるように、該テープ４１、４２、・・・４３１、４３２の後部に設けられた前記ステッピング送り手段５１、５２、・・・５２５、・・により、前記テープ４１、４２、・・・４３１、４３２がループに沿って所定方向に周回する構成となっており、このとき、前記テープ４１、４２、・・・４３１、４３２が撓まないように、前記テンション機構６１、６２、・・・６２５、・・により、前記テープ４１、４２、・・・４３１、４３２の表面側が加圧され、また、前記ステッピング送り手段５１、５２、・・・５２５、・・の外周囲（一部分）から外れないように前記テープ４１、４２、・・・４３１、４３２の周回位置が確保される。
【００１７】
すなわち、これらのテープ４１、４２、・・・４３１、４３２に設けられたステッピング送り手段５１、・・・５１７、・・５２５・・に電源を供給し、それぞれを駆動して、小窓３１、３２、・・・３３１、３３２から、前記テープ４１、４２、・・・４３１、４３２の配色位置を露出させる。
そして、上述したように、本発明のテープ露出式表示装置１に所定の文字や記号等が表示され、前記ステッピング送り手段５１、５２、・・５１７、・・への電源供給を停止すると、所望とする文字や記号等が表示されたままとなる。
このように、テープ露出式表示装置１に表示された文字や記号等は、特に夜間においては、例えば、車両のヘッドライトから発光される光に反射して、表示内容が運転手の目にとまる。
【００１８】
つぎに、本発明のテープ露出式表示装置１に、カラー表示を行う第二の実施の形態について説明する。
なお、テープ４１、４２、・・・４３１、４３２の配色以外は、上記第一の実施の形態と同様であるため、詳細については、テープ４１、４２、・・・４３１、４３２の配色についての説明に止め、重複する説明は省略する。
図４は、カラー表示を行うためのテープ４１、４２、・・・４３１、４３２を帯状で示した構成図である。
【００１９】
図４（ａ）は、これらテープ４１、４２、・・・のうち、減色混合法による色の組み合わせを行う場合のテープの配色の構成図であり、基本色として「シアン（澄んだ青緑色）」、「マゼンタ（明るい赤紫色）」「黄」のうち２色を隣り合わせて配置し、これらの組み合わせで所望の色として見えるようにするものであり、本実施の形態では、例えば、テープ４１、４２、・・・の所定位置から、「黒」、「黄」、「白」、「シアン」、「黒」、「白」、「マゼンタ」、「黒」、「白」、「黒」、「白」が、順に、それぞれ１０ｍｍ毎に配色されている。
すなわち、基本色「シアン」、「マゼンタ」「黄」間に「黒」と「白」を配色することで、例えば、前記小窓３１、３２、・・・３３１、３３２から上半分を「黒」、下半分を「シアン」として露出し、「暗いシアン」といった中間色として見えるようにする。
【００２０】
また、図４（ｂ）は、これらテープ４１、４２、・・・４３１、４３２のうち、加色混合法による色の組み合わせを行う場合のテープの配色の構成図であり、基本色として「青」、「緑」、「赤」の３色のうち２色を隣り合わせて配置し、これらの組み合わせて所望色に見えるようにし、さらにこれに中間色を作るための「黒」、「白」を、前記減色混合法と同様に所定位置に配色して、例えば、テープ４１、４２、・・・の所定位置から、「黒」、「赤」、「白」、「青」、「黒」、「白」、「緑」、「黒」、「白」、「黒」、「白」の順に、それぞれ１０ｍｍ毎に配色されている。
【００２１】
そして、このように配色されたテープ４１、４２、・・・４３１、４３２を、ループ状にした場合に、接続箇所をダミー部分として、１０ｍｍ程度が配置されている。
なお、所望色として見えるようにするために、本実施の形態では、減色混合法を用いて説明するが、加色混合法でもよく、他の色混合法があれば特にテープ４１、４２、・・・４３１、４３２の配色は限定しない。
また、前記テープ４１、４２を周回することで、小窓３１、３２、・・・３３１、３３２に露出される色（位置）がずれないように、テープ４１、４２、・・・４３１、４３２のループ内の所定箇所にマーキングを設けてもよく、また、ダミー部分でリセットされるように構成してもよい。
【００２２】
そして、前記テープ４１、４２、・・・４３１、４３２は、前記テープ４１、４２・・・４３１、４３２に配色された色の一部分が正面側に露出されるように、該テープ４１、４２、・・・４３１、４３２の後部に設けられた前記ステッピング送り手段５１、５２、・・・５２５、・・により、前記テープ４１、４２、・・・４３１、４３２がループに沿って所定方向に周回する構成となっており、このとき、前記テープ４１、４２、・・・４３１、４３２が撓まないように、前記テンション機構６１、６２、・・・６２５、・・により、前記テープ４１、４２、・・・４３１、４３２の表面側が加圧され、回転が確保される（図３参照）。
【００２３】
図５は、所望色に見せるため、隣り合う２本のテープ（例えば、テープ４１とテープ４２）を１画素とし、この１画素により表される配色の組み合わせの説明図である。
図５（ａ）は、「赤」として表示するために、「マゼンタ」部分の前記テープ４１、（図５（ａ）中、左側）を前記小窓３１から露出させ、「黄」部分の前記テープ４２を（図５（ａ）中、右側）前記小窓３２に露出することにより、所望とする「赤」に見えるようにすることができる。
また、図５（ｂ）は、前記表示した「赤」を「暗い赤」として表示するために、テープ４１の露出部分を、例えば、「マゼンタ」と「黒」の境を使用し、上半分を「マゼンタ」に、下半分を「黒」とし、テープ４２の表示部分を「黄」と「黒」の境を使用し、上半分を「黄」に、下半分を「黒」とすることで「暗い赤」に見えるようにする。また、微少送りすることで中間色も出せる。
【００２４】
また、図５（ｃ）は、前記表示した「赤」を「明るい赤」として表示する場合を説明したもので、例えば、小窓３１から露出するテープ４１の色に「マゼンタ」と「白」の境を使用し、上半分を「マゼンタ」に、下半分を「白」とし、小窓３２から露出するテープ４２の色に「黄」と「白」の境を使用し、上半分を「黄」に、下半分を「白」とすることで「明るい赤」に見えるようにする。
このように小窓３１、３２から露出した部分のテープ４１、４２は、基本色「黄」、「シアン」、「マゼンタ」に、それぞれ「黒」と「白」を所定配分で露出することにより、「より暗い赤」、「より明るい赤」として見せることができる。
このように、小窓３１から露出したテープ４１と、小窓３２をから露出したテープ４２を１画素とすることで、静止画や、所定時間間隔で表示が変わる画像を、表示面全体として、例えば、１６色表示、２５６色表示、・・２６万色表示というようにカラー表示することができる。
【００２５】
つぎに、上述した本発明のテープ露出式表示装置１に、パーソナルコンピュータ等の制御手段を接続し、前記小窓３１、３２、・・・３３１、３３２から露出されるテープ４１、４２、・・・４３１、４３２の配置位置を変更するステッピング送り手段５１、５２、・・、５２５、・・・の回転量の制御を行う第三の実施の形態について説明する。
図６は、本発明のテープ露出式表示装置１の表示制御システムのブロック構成図である。
図６中、１０は、テープ露出式表示装置１の表示制御を行うパーソナルコンピュータ等からなる制御手段、１１は、同表示装置１に接続され、表示データを入力する入力手段、１２は、前記入力手段１１より入力された表示データを前記小窓３１、３２、・・・３３１、３３２に対応付ける入力データ振り分け手段、１３は、前記振り分けた入力データにより、前記ステッピング送り手段５１、５２、・・、５２５、・・・の回転量を取得する回転量取得手段である。
【００２６】
また、１４は、前記表示装置１の小窓３１、３２、・・・３３１、３３２の配列数等が記憶された表示装置情報記憶手段、１５は、前記入力手段１１から入力されたデータとともにその入力データを前記小窓３１、３２、・・・３３１、３３２に対応させて振り分けた振分データを記憶する振分データ記憶手段、１６は、前記回転量取得手段１３により得たデータを記憶する回転量記憶手段である。１７は、前記表示装置１に接続され、前記入力手段１１からデータを入力するする際の入力指示画面や前記回転量記憶手段１６に記憶されたデータに基づいて前記表示面２に表示されるイメージを表示するＣＲＴディスプレイ装置や液晶ディスプレイ装置等の表示手段、１８は、前記回転量記憶手段１６に記憶されたデータ（回転量）を、該当するステッピング送り手段５１、５２、・・、５２５、・・・に送信するためのインターフェース（例えば、ＲＳ−２３２Ｃケーブル等）である。
【００２７】
入力手段１１は、例えば、数値や文字を入力するキーボード、作業指示や予め設定された表示装置１の機種等のデータを選択するマウス、また、画像を取り込むスキャナやデジタルカメラのデータを取り込む。このとき、該表示装置１の小窓の個数や配列が規格化されている場合は、予め登録して、規格とその小窓の個数や配列をテーブルとして記憶するようにしてもよい。
そして、このような表示装置１の種類（小窓の個数や配列で区分された種類）等のデータを、表示装置情報記憶手段１４に記憶する。
【００２８】
入力データ振り分け手段１２は、前記入力手段１１から入力された文字や画像等のデータを、前記表示装置１に設けられた各小窓３１、３２、・・・３３１、３３２に対応付けを行う。
例えば、上述した「中」の文字を前記小窓３１、３２、・・・３３１、３３２の数に合わせて３２分割（垂直方向に４個、水平方向に８個）すると、小窓３１には「白」、小窓３１０には「黒」が振り分けられる（図２参照）。
このように得られたデータは、入力された文字や画像等のデータとともに、それぞれ小窓３１、３２、・・・３３１、３３２毎に表示される色が対応付けられて振分データ記憶手段１５に記憶する。
【００２９】
回転量取得手段１３は、前記入力データ振り分け手段１２により得られた色に見せるために、各小窓３１、３２、・・・３３１、３３２から露出するテープ４１、４２、・・・４３１、４３２の配置位置を、前記ステッピング送り手段５１、５２、・・、５２５、・・・をどのくらい回転させれば得られるかを算出する。
例えば、複数色が１２箇所に区分けされたループ状のテープ４１、４２、・・・４３１、４３２の内周が、ステッピング送り手段５１、５２、・・、５２５、・・・の外周の３倍とすると、現在小窓３１、３２、・・・３３１、３３２に露出されているテープ４１、４２、・・・４３１、４３２の位置から、ステッピング送り手段５１、５２、・・、５２５、・・・を所定方向にｎ段階（例えば９０度）回転することで、隣り合った配色部分が小窓３１、３２、・・・３３１、３３２に露出される。
そして、各小窓３１、３２、・・・３３１、３３２に対応付けた前記ステッピング送り手段５１、５２、・・、５２５、・・・の回転量を、前記回転量記憶手段１６に記憶する。
【００３０】
つぎに、このような制御手段１０により、本発明のテープ露出式表示装置１に表示を行う様子について説明する。
図７は、テープ露出式表示装置１に表示を行う様子のフローチャートである。
制御手段１０により、本発明のテープ露出式表示装置１に表示を行うには、テープ露出式表示装置１と制御手段１０を、例えば、ＲＳ−２３２Ｃ・ＵＳＢ・ＩＥＥＥ１３９４・光リンク・ワイヤレス等のインターフェース１８で接続し、制御手段１０の表示手段１７に、選択メニュー画面を表示する（ステップＳ１）。
表示手段１７の表示うち、テープ露出式表示装置１に表示する文字、記号、図柄、画像等を新たに入力するか否かの判定を行い（ステップＳ２）、入力する場合は、つぎの処理を行い、新たな入力が不要な場合は、ステップＳ６の処理を行う。
【００３１】
新たに文字、記号、図柄、画像等を入力する場合には、表示装置１に表示する内容を入力手段１１から入力し（ステップＳ３）、入力データを振分データ記憶手段１５に記憶する（ステップＳ４）。
この入力データは、前記表示装置１の小窓数、配列に分割され、各小窓３１、３２、・・・３３１、３３２に対応して振り分け（ステップＳ５）、つぎのステップＳ７の処理を行う。
一方、文字、記号、図柄、画像等の入力が不要な場合は、振分データ記憶手段１５から、該当する入力データと振分データを読み出し（ステップＳ６）、つぎの処理を行う。
【００３２】
各小窓３１、３２、・・・３３１、３３２に対応して振り分けられた振分データは、表示装置１の表示面イメージとして、表示手段１７に表示する（ステップＳ７）。
表示された表示面イメージで良いか否かの判定を行い（ステップＳ８）、良い場合には、次の処理を行い、再入力の必要がある場合には、ステップＳ３の処理に戻る。
表示面イメージで良い場合には、振分データを、振分データ記憶手段１５に記憶する（ステップＳ９）。
【００３３】
つぎに、テープ露出式表示装置１の表示面の全小窓３１、３２、・・・３３１、３３２が、例えば「白」表示されるように、前記テープ４１、４２、・・・４３１、４３２を基準位置まで周回させる信号を、前記インターフェース１８を介して、ステッピング送り手段５１、５２、・・、５２５、・・・に送信する（ステップＳ１０）。
テープ４１、４２、・・・４３１、４３２が基準位置に周回すると、テープ４１、４２、・・・４３１、４３２の露出部分が振分データに該当する位置に周回するためのステッピング送り手段５１、５２、・・、５２５、・・・の回転量を算出し（ステップＳ１１）、振分データ１５に関連づけて回転量記憶手段１６に記憶する（ステップＳ１２）。
そして、この回転量を、前記インターフェース１８を介して、ステッピング送り手段５１、５２、・・、５２５、・・・に送信する（ステップＳ１３）と、前記テープ４１、４２、・・・４３１、４３２がそれぞれ部分的に周回して、各小窓３１、３２、・・・３３１、３３２（言い換えれば、表示面２）に、所望とする表示が完了する。
表示が完了すると、本発明のテープ露出式表示装置１から制御手段１０を取り外す。また、テープ露出式表示装置１の電源をＯＦＦ（断）とする。
【００３４】
このようにして作成した本発明のテープ露出式表示装置１の表示内容は、その表示内容に基づいて所定期間表示が維持され、その後、次の新たな内容に変更したい場合には、上記同様に、表示装置１に制御手段１０を接続して、また電源をＯＮ（投入）して、ステップＳ１からステップＳ１３の処理を繰り返し、テープ露出式表示装置１の表示内容を変更する。
なお、表示装置１に接続された制御手段１０は、電源のＯＮ・ＯＦＦのみで動作してもよく、また、制御手段１０としてパーソナルコンピュータ等を使用する場合は、取り外すようにしてもよい。
【００３５】
なお、制御手段１０によるステッピング送り手段５１、５２・・５２５、・・の回転量制御は、全ステッピング送り手段５１、５２・・５２５、・・でもよいが、１文字毎でもよく、同時に回転するステッピング送り手段５１、５２・・５２５、・・の数は特に限定しない。
【００３６】
なお、上記実施の形態では、上下方向に周回するテープ４１、４２、・・、４３１、４３２を水平方向に隣り合わせて配置し、例えばテープ４１とテープ４２の色を組み合わせて１画素として表示するようにしたが、テープを左右方向に周回させた表示装置でもよく、またこれを垂直方向に配置した２本または３本を１画素として表示してもよい。
【００３７】
また、上記実施の形態では、１本のテープ４１、４２、・・、４３１、４３２を所定長で複数色に区分けして説明したが、これに加えて区分けした部分を、さらに、縦方向および／または横方向に、４分割、６分割、・・して配色し、さらに細部を表現できるようにしてもよい。
【００３８】
なお、上記実施の形態では、１文字を表示するために、テープ４１、４２、・・、４３１、４３２が露出した小窓２１、３２、・・、３３１、３３２を垂直方向に４個、水平方向に１６個を碁盤状に配置して説明したが、垂直方向に３２個、水平方向に６４個を碁盤状に配置して、分解能を高めたものであってもよく、そのときの配置数は特に限定しない。
【００３９】
また、上記実施の形態では、ループ状のテープに反射式のものを使用して説明したが、特に反射式でなくてもよく、その素材は特に限定しない。
なお、上記実施の形態では、入力された図形データを各小窓に振り分けた後、振分データ記憶手段１５に記憶し、その記憶内容に基づいてループ状のテープを周回して所定の色を露出して説明したが、入力された図形データを各小窓に振り分けた後、直接ループ状のテープを周回して所定の色を露出してもよい。
【００４０】
また、ループ状のテープを周回するためのステッピング送り手段５１、およびテンション機構６１は、バネ材６ａをテープ上方支持部６ｂ、テープ下方支持部６ｃに直線的に取り付けてもよく、その配置形状は特に限定しない（図８（ａ）参照）。また、ループ状のテープは、ステッピング送り手段５１により周回される構成であれば、ステッピング送り手段５１に接するループ状のテープの配置位置は特に限定しない（図８（ｂ）参照）。
【００４１】
なお、上記実施の形態では、ループ状テープの色の組み合わせのみで表示するとしたが、該ループ状テープに液晶パネル等を部分的に被せてブリンクするようにしてもよく、また、背景レパース表示等をおこなうようにしてもよい。この場合は、液晶パネル等に供給する少量電源を取り付ける。
【００４２】
【発明の効果】
以上説明したように、本発明のテープ露出式表示装置によると、新製品の広告を表示した後、次の新製品が発表されると、ステッピング送り手段に電源を供給し、例えばコンピュータ等による回転量制御を行うのみで、看板に次の新製品を速やかに表示することができ、その広告の表示期間中は、電源供給を必要としない省エネルギー型とすることができ、さらに、新たな商品の広告に書き換える必要が無くなり、書き換え期間中に広告が表示できないといった不具合が解決する。
また、本発明のテープ露出式表示装置によると、例えばビルの壁面や屋上等に設置する場合でも、大掛かりな工事を必要とするのは最初のみで、その後は、内容をコンピュータ等によるステッピング送り手段の回転量制御で書き換えるといった簡便な方法でよくなる。
【００４３】
また、本発明のテープ露出式表示装置によると、何度でも繰り返して新たな内容の広告を表示することができるため、上書きができなくなった看板を廃棄処分とする必要がなく、何度でも再利用できる。
さらに、道路工事時に使用される看板は、通行車両や通行人に、注意を促すために、「○○メートル先工事中」、「△△メートル先片側交互通行」、「××工事中につき全面通行止め」等が記載された看板が必要であったが、その場で容易に書き換えることができるため、必要に応じた複数の看板と交換したり、またそれらの看板を保管する必要がなくなる。
また、このような、道路工事の看板は、車両のヘッドライトに照らされると反射するため、電源設備等は不要であり、電光掲示板が使用されない場所でも運転者等に注意を促すことができる。
【図面の簡単な説明】
【図１】本発明の実施の形態に係るテープ露出式表示装置の概要構成図である。
【図２】本発明の実施の形態に係るテープ露出式表示装置に文字を表示する様子の説明図である。
【図３】本発明の実施の形態に係るテープ露出式表示装置の側断面図である。
【図４】本発明の実施の形態に係るテープ露出式表示装置のテープの構成図である。
【図５】本発明の実施の形態に係るテープ露出式表示装置のテープの組み合わせの説明図である。
【図６】本発明の実施の形態に係るテープ露出式表示装置を制御手段で表示させる場合のブロック構成図である。
【図７】本発明の実施の形態に係るテープ露出式表示装置を制御手段で表示させる場合のフローチャートである。
【図８】本発明の実施の形態に係るテープ露出式表示装置のテープを周回するための他の機構を示した側断面図である。
【符号の説明】
１・・テープ露出式表示装置
２・・表示面
３１、３２、・・、３３１、３３２・・小窓
３ａ・・枠
３ｂ・・テープ上方支持部
３ｃ・・テープ下方支持部
４１、４２、・・、４３１、４３２・・テープ
５１、５２、・・、５１７、・・・・ステッピング送り手段
６１、６２、・・、６１７、・・・・テンション機構
６ａ・・バネ材
６ｂ・・テープ上方支持部
６ｃ・・テープ下方支持部
１０・・制御手段
１１・・入力手段
１２・・入力データ振分手段
１３・・回転量取得手段
１４・・表示装置情報記憶手段
１５・・振分データ記憶手段
１６・・回転量記憶手段
１７・・表示手段
１８・・インターフェース
【図１】
0003639167.tif 000002
【図２】
0003639167.tif 000003
【図３】
0003639167.tif 000004
【図４】
0003639167.tif 000005
【図５】
0003639167.tif 000006
【図６】
0003639167.tif 000007
【図７】
0003639167.tif 000008
【図８】
0003639167.tif 000009